(57)【要約】【課題】  本発明の課題は、適切な清掃時期をユーザに知らせることにより清掃作業費用をできるだけ低減することにある。【解決手段】  照明保守システム１は、実照度計測手段２１、第１情報記憶手段１３ａ、第１点灯時間計測手段１１２、理想照度導出手段１１２、照度差算出手段１１２、および第１報知手段１４を備える。実照度計測手段２１は、実照度を計測する。第１情報記憶手段１３ａには、第１照明機器経年劣化特性情報が記憶される。第１点灯時間計測手段１１２は、照明機器４０の点灯時間を計測する。理想照度導出手段１１２は、照明機器経年劣化特性情報に基づいて点灯時間計測手段１１２において計測された照明機器４０の点灯時間における理想照度を導出する。照度差算出手段１１２は、照度計測手段２１において計測された実照度と理想照度導出手段１１２において導出された理想照度との差を算出する。第１報知手段１４は、実照度と理想照度との差が所定値に達した場合に報知を行う。【選択図】      図６
2006269270.tif 000002
【特許請求の範囲】
【請求項１】
照明機器（４０）の実際の照度である実照度を計測する実照度計測手段（２１）と、
前記照明機器の点灯時間と前記照明機器の理想の照度である理想照度との関係を表す情報である第１照明機器経年劣化特性情報を記憶する第１情報記憶手段（１３ａ）と、
前記照明機器の点灯時間を計測する第１点灯時間計測手段（１１２）と、
前記照明機器経年劣化特性情報に基づいて前記点灯時間計測手段において計測された前記照明機器の点灯時間における前記理想照度を導出する理想照度導出手段（１１２）と、
前記照度計測手段において計測された前記実照度と前記理想照度導出手段において導出された前記理想照度との差を算出する照度差算出手段（１１２）と、
前記実照度と前記理想照度との差が所定値に達した場合に報知を行う第１報知手段（１４）と、
を備える、照明保守システム（１）。
【請求項２】
前記照度計測手段が前記実照度を計測する時刻を設定可能である照度計測時刻スケジュール手段（２５）をさらに備える、
請求項１に記載の照明保守システム。
【請求項３】
前記照明機器の発停回数をカウントする発停回数カウント手段（１１２）と、
前記発停回数を利用して前記第１照明機器経年劣化特性情報を補正する経年劣化特性情報補正手段（１１２）と、
をさらに備える、請求項１または２に記載の照明保守システム。
【請求項４】
照明機器と、
前記照明機器への供給電力を調節することにより前記照明機器の照度を所定時間一定に制御する一定照度制御手段と、
前記照明機器の点灯時間と前記照明機器の照度を一定に維持するために必要な理想の供給電力である理想供給電力との関係を表す情報である第２照明機器経年劣化特性情報を記憶する第２情報記憶手段と、
前記照明機器の点灯時間を計測する第２点灯時間計測手段と、
前記第２照明機器経年劣化特性情報に基づいて前記点灯時間計測手段において計測された前記照明機器の点灯時間における前記理想供給電力を導出する理想供給電力導出手段と、
前記一定照度制御手段により消費される実際の供給電力である実供給電力と前記理想供給電力導出手段において導出された前記理想供給電力との差を算出する供給電力差算出手段と、
前記実供給電力と前記理想供給電力との差が所定値に達した場合に報知を行う第２報知手段と、
を備える、照明保守システム。
【請求項５】
前記実供給電力を取得する時刻を設定可能である実供給電力取得時刻スケジュール手段をさらに備える、
請求項４に記載の照明保守システム。
【請求項６】
前記照明機器の発停回数をカウントする発停回数カウント手段と、
前記発停回数を利用して前記第２照明機器経年劣化特性情報を補正する経年劣化特性情報補正手段と、
をさらに備える、請求項４または５に記載の照明保守システム。
【発明の詳細な説明】
【技術分野】
【０００１】
本発明は、照明装置の清掃タイミングを通知する照明保守システムに関する。
【背景技術】
【０００２】
過去に「照明装置の点灯時間を計測し、その点灯時間が所定時間に達すると、照明機器清掃時期を表示する」という技術が提案されている（例えば、特許文献１参照）。また、「照明装置の取り付け初期の照度を計測しておき、その後の照度が初期の照度の８０％になったとき清掃指示情報を表示する」という技術も提案されている（例えば、特許文献２参照）
【特許文献１】特開平６−８４５９２号公報
【特許文献２】特開平８−６９８８３号公報
【発明の開示】
【発明が解決しようとする課題】
【０００３】
しかし、照明機器の汚れ度合いは照明機器の設置環境により大きく変化することが知られている。したがって、前者の技術では、照明装置が例えばクリーンルーム等、十分にきれいな環境に設置されている場合であっても定期的に清掃作業を行わなければならず不要な清掃作業コストが生じるという不具合がある。また、特開平６−８４５９２号公報の図３に示されるように、照明機器の照度は、汚れが付着しない場合であっても使用時間が長くなるにつれて徐々に減少する傾向を示す。したがって、後者の技術では、使用時間が長くなるほど軽微な汚れでも清掃指示情報が表示されるようになり清掃作業コストが増大するという不具合がある。本発明の課題は、適切な清掃時期をユーザに知らせることにより清掃作業費用をできるだけ低減することにある。
【課題を解決するための手段】
【０００４】
第１発明に係る照明保守システムは、実照度計測手段、第１情報記憶手段、第１点灯時間計測手段、理想照度導出手段、照度差算出手段、および第１報知手段を備える。実照度計測手段は、実照度を計測する。なお、ここにいう「実照度」とは、照明機器の実際の照度である。第１情報記憶手段には、第１照明機器経年劣化特性情報が記憶される。なお、ここにいう「第１照明機器経年劣化特性情報」とは、照明機器の点灯時間と照明機器の理想の照度である理想照度との関係を表す情報である。第１点灯時間計測手段は、照明機器の点灯時間を計測する。理想照度導出手段は、照明機器経年劣化特性情報に基づいて点灯時間計測手段において計測された照明機器の点灯時間における理想照度を導出する。照度差算出手段は、照度計測手段において計測された実照度と理想照度導出手段において導出された理想照度との差を算出する。第１報知手段は、実照度と理想照度との差が所定値に達した場合に報知を行う。
【０００５】
この照明保守システムでは、実照度計測手段が、実照度を計測する。また、第１点灯時間計測手段が、照明機器の点灯時間を計測する。そして、理想照度導出手段が、照明機器経年劣化特性情報に基づいて点灯時間計測手段において計測された照明機器の点灯時間における理想照度を導出する。さらに、照度差算出手段が、照度計測手段において計測された実照度と理想照度導出手段において導出された理想照度との差を算出する。そして最後に、第１報知手段が、実照度と理想照度との差が所定値に達した場合に報知を行う。このため、この照明保守システムでは、照明装置の汚れ具合がある程度進んだ適切な時点で、第１報知手段において報知が行われる。したがって、この照明保守システムでは、清掃作業費用をできるだけ低減することができる。
【０００６】
第２発明に係る照明保守システムは、第１発明に係る照明保守システムであって、照度計測時刻スケジュール手段をさらに備える。照度計測時刻スケジュール手段は、照度計測手段が実照度を計測する時刻を設定可能である。
この照明保守システムでは、照度計測時刻スケジュール手段で、照度計測手段が実照度を計測する時刻が設定可能である。このため、この照明保守システムでは、ユーザは、外光の影響が少ない時間を選んで汚れ検知を行うことができる。
【０００７】
第３発明に係る照明保守システムは、第１発明または第２発明に係る照明保守システムであって、発停回数カウント手段および経年劣化特性情報補正手段をさらに備える。発停回数カウント手段は、照明機器の発停回数をカウントする。経年劣化特性情報補正手段は、発停回数を利用して第１照明機器経年劣化特性情報を補正する。
この照明保守システムでは、発停回数カウント手段が、照明機器の発停回数をカウントする。そして、経年劣化特性情報補正手段が、発停回数を利用して第１照明機器経年劣化特性情報を補正する。一般に、照明装置は、一回の発停で１時間寿命が縮む、つまり照度が減衰すると言われている。このため、この照明保守システムでは、照明装置の清掃タイミングをより正確に導出することができる。
【０００８】
第４発明に係る照明保守システムは、照明機器、一定照度制御手段、第２情報記憶手段、第２点灯時間計測手段、理想供給電力導出手段、供給電力差算出手段、および第２報知手段を備える。一定照度制御手段は、照明機器への供給電力を調節することにより照明機器の照度を所定時間一定に制御する。第２情報記憶手段には、第２照明機器経年劣化特性情報が記憶される。なお、ここにいう「第２照明機器経年劣化特性情報」とは、照明機器の点灯時間と照明機器の照度を一定に維持するために必要な理想の供給電力である理想供給電力との関係を表す情報である。第２点灯時間計測手段は、照明機器の点灯時間を計測する。理想供給電力導出手段は、第２照明機器経年劣化特性情報に基づいて点灯時間計測手段において計測された照明機器の点灯時間における理想供給電力を導出する。供給電力差算出手段は、一定照度制御手段により消費される実際の供給電力である実供給電力と理想供給電力導出手段において導出された理想供給電力との差を算出する。第２報知手段は、実供給電力と理想供給電力との差が所定値に達した場合に報知を行う。
【０００９】
この照明保守システムでは、一定照度制御手段が、照明機器への供給電力を調節することにより照明機器の照度を所定時間一定に制御する。また、第２点灯時間計測手段が、照明機器の点灯時間を計測する。そして、理想供給電力導出手段が、第２照明機器経年劣化特性情報に基づいて点灯時間計測手段において計測された照明機器の点灯時間における理想供給電力を導出する。さらに、供給電力差算出手段が、一定照度制御手段により消費される実際の供給電力である実供給電力と理想供給電力導出手段において導出された理想供給電力との差を算出する。そして最後に、第２報知手段が、実供給電力と理想供給電力との差が所定値に達した場合に報知を行う。このため、この照明保守システムでは、照明装置の汚れ具合がある程度進んだ適切な時点で、第２報知手段において報知が行われる。したがって、この照明保守システムでは、清掃作業費用をできるだけ低減することができる。
【００１０】
第５発明に係る照明保守システムは、第４発明に係る照明保守システムであって、実供給電力取得時刻スケジュール手段をさらに備える。実供給電力取得時刻スケジュール手段では、実供給電力を取得する時刻が設定可能である。
この照明保守システムでは、実供給電力取得時刻スケジュール手段では、実供給電力を取得する時刻が設定可能である。このため、この照明保守システムでは、ユーザは、外光の影響が少ない時間を選んで汚れ検知を行うことができる。
【００１１】
第６発明に係る照明保守システムは、第４発明または第５発明に係る照明保守システムであって、発停回数カウント手段および経年劣化特性情報補正手段をさらに備える。発停回数カウント手段は、照明機器の発停回数をカウントする。経年劣化特性情報補正手段は、発停回数を利用して第２照明機器経年劣化特性情報を補正する。
この照明保守システムでは、発停回数カウント手段が、照明機器の発停回数をカウントする。そして、経年劣化特性情報補正手段が、発停回数を利用して第２照明機器経年劣化特性情報を補正する。一般に、照明装置は、一回の発停で１時間寿命が縮む、つまり照度が減衰すると言われている。このため、この照明保守システムでは、照明装置の清掃タイミングをより正確に導出することができる。
【発明の効果】
【００１２】
第１発明に係る照明保守システムでは、照明装置の汚れ具合がある程度進んだ適切な時点で、第１報知手段において報知が行われる。したがって、この照明保守システムでは、清掃作業費用をできるだけ低減することができる。
第２発明に係る照明保守システムでは、ユーザは、外光の影響が少ない時間を選んで汚れ検知を行うことができる。
【００１３】
第３発明に係る照明保守システムでは、照明装置の清掃タイミングをより正確に導出することができる。
第４発明に係る照明保守システムでは、照明装置の汚れ具合がある程度進んだ適切な時点で、第２報知手段において報知が行われる。したがって、この照明保守システムでは、清掃作業費用をできるだけ低減することができる。
【００１４】
第５発明に係る照明保守システムでは、ユーザは、外光の影響が少ない時間を選んで汚れ検知を行うことができる。
第６発明に係る照明保守システムでは、照明装置の清掃タイミングをより正確に導出することができる。
【発明を実施するための最良の形態】
【００１５】
〔照明保守システム〕
ここでは、図１から図６までの図面を参照しながら本発明の実施の形態に係る照明保守システムについて説明する。
この照明保守システム１は、図１に示されるように、主に、照明装置４０、照明コントローラ１０、および照度センサ２１から構成されている。以下、これらの各構成部品について詳述する。
【００１６】
（１）照明装置
照明装置４０は、図２に示されるように、主に、ケーシング４１とケーシングに固定される２本の蛍光灯４２とから構成されている。そして、この照明装置４０は、第１通信線２６を介して照明コントローラ１０に接続されている。なお、この照明装置４０のオン／オフは、照明コントローラ１０に設けられる入力装置２５（図３参照）か照明コントローラ１０のスケジュール点灯制御により行われる。
【００１７】
（２）照明コントローラ
照明コントローラ１０は、居室Ｒ１の側壁に配置されている。この照明コントローラ１０は、図３に示されるように、主に、中央処理部１１、ＲＡＭ（Random Access Memory）１２、ＲＯＭ（Read Only Memory）１３ａ、ＥＥＰＲＯＭ１３ｂ、Ｉ／Ｏ制御部１４、照度センサ用インターフェイス１５、照明装置用インターフェイス２７、ディスプレイ用インターフェイス１６、ディスプレイ１７、入力装置用インターフェイス２４、および入力装置２５から構成されている。ここで、中央処理部１１、ＲＡＭ１２、ＲＯＭ１３ａ、ＥＥＰＲＯＭ１３ｂ、およびＩ／Ｏ制御部１４は、例えば、マイクロコンピュータであって、相互に第１バス線１８によって接続されており、１つの集積回路を構成している。また、照度センサ用インターフェイス１５、照明装置用インターフェイス２７、ディスプレイ用インターフェイス１６、および設定装置用インターフェイス２４は、例えば、プリント回路基板等であって、第２バス線１９ａ，１９ｂ，１９ｃ，１９ｄを介してＩ／Ｏ制御部１４に接続されている。また、ディスプレイ１７は、第３通信線２０を介してディスプレイ用インターフェイス１６に接続されている。また、設定装置２５は、第４通信線２３を介して設定装置用インターフェイス２４に接続されている。
【００１８】
中央処理部１１は、主に、制御部１１１および演算部１１２を有する。制御部１１１は、図４に示されるように、ＲＯＭ１３ａに記憶されている制御プログラムを読み込み（Ｆｄ６参照）、読み込んだ制御プログラムに従って演算部１１２、ＲＡＭ１２、ＲＯＭ１３ａ、ＥＥＰＲＯＭ１３ｂ、およびＩ／Ｏ制御部１４に動作を指示する（Ｆｃ１〜Ｆｃ４参照）。演算部１１２は、図４に示されるように、制御部１１１の命令に従って制御部１１１、ＲＡＭ１２、ＲＯＭ１３ａ、およびＥＥＰＲＯＭ１３ｂから必要なデータを取得して（Ｆｄ１、Ｆｄ４、およびＦｄ７参照）演算処理（例えば、算術演算処理や論理演算処理等）を行う。また、この演算部１１２は、制御部１１１の命令に従って、演算処理の処理結果データを制御部１１１に供給することができる（Ｆｄ２参照）。また、この演算部１１２は、制御部１１１の命令に従って、演算処理の処理結果データをＲＡＭ１２やＥＥＰＲＯＭ１３ｂに書き込むことができる（Ｆｄ３参照）。
【００１９】
ＲＡＭ１２は、図４に示されるように、制御部１１１の指示に従って、各種データを制御部１１１に供給することができる（Ｆｄ５参照）。また、このＲＡＭ１２は、データをＩ／Ｏ制御部１４から取得して（Ｆｄ９参照）一時記憶したり、演算部１１２から送信されるデータ（Ｆｄ３参照）を一時記憶したりする。また、このＲＡＭ１２は、制御部１１１の命令に応じて一時記憶しているデータをＩ／Ｏ制御部１４に送信する（Ｆｄ８参照）。
【００２０】
ＲＯＭ１３ａは、制御プログラムや各種データを格納している。そして、このＲＯＭ１３ａは、図４に示されるように、制御部１１１の指示に従って、それらを制御部１１１に供給する（Ｆｄ６参照）。また、このＲＯＭ１３ａは、制御部１１１の指示に従って、各種データを演算部１１２に供給することができる（Ｆｄ７参照）。なお、本実施の形態において、この制御プログラムにはソフトウェアタイマーが含まれているため、照明コントローラ１０は時刻を計測することが可能となっている。また、本実施の形態において、このＲＯＭ１３ａには、図５に示されるような蛍光灯４２の点灯時間と理想照度との関係を表すデータである蛍光灯経年劣化特性データが記憶されている。
【００２１】
ＥＥＰＲＯＭ１３ｂは、電気的に書き換え可能なＲＯＭであり、入力装置２５において入力される種々のデータやソフトウェアタイマーから得られる時刻データ等を記憶する。
Ｉ／Ｏ制御部１４は、照度センサ２１から照度センサ用インターフェイス１５を介して送信されてくるデータや入力装置２５から入力装置用インターフェイス２４を介して送信されてくるデータ等をＲＡＭ１２へ入力したり（Ｆｄ９参照）、ＲＡＭ１２に記憶されている各種データや制御信号などをディスプレイ用インターフェイス１６を介してディスプレイ１７へ出力したり照明装置用インターフェイス２７を介して照明装置４０に送信したりする。
【００２２】
照度センサ用インターフェイス１５、照明装置用インターフェイス２７、ディスプレイ用インターフェイス１６、および入力装置用インターフェイス２４は、通信線２０，２２，２３，２６を介して照度センサ２１、照明装置４０、ディスプレイ１７、および入力装置２５に接続されており、照度センサ２１や入力装置２５から送信されてくる各種データを受信すると同時にそれらのデータを中央処理部１１が処理可能な形式に変換したりＩ／Ｏ制御部からディスプレイ１７や照明装置４０に出力されるデータや制御信号などをディスプレイ１７や照明装置２６が処理可能な形式に変換したりする。
【００２３】
ディスプレイ１７は、Ｉ／Ｏ制御部１４およびディスプレイ用インターフェイス１６を通ってきた各種データを映像面に表示する。
入力装置２５では、照明装置４０のオン／オフ入力が行われたり、照明保守システム１の照度計測時刻（制御プログラムの実行時刻）が設定されたりすることが可能となっている。なお、この照明コントローラ１０では、入力装置２５において照明装置４０のオン／オフ入力が行われた場合、そのオン／オフデータが時刻データとともにＥＥＰＲＯＭ１３ｂに記憶される（このデータは照明装置４０の総点灯時間を導出するのに用いられる）。
【００２４】
（３）照度センサ
照度センサ２１は、蛍光灯の長手方向に沿ってケーシング４１の内側に突出するように設けられている。なお、この照度センサ２１は、第２通信線２２を介して照明コントローラ１０に接続される。
〔照明コントローラの動作〕
ここでは、図６に示されるフローチャートに従って、照明コントローラ１０の動作について説明する。ここで、図６は、照明コントローラ１０の動作の流れを表すフローチャートである。
【００２５】
図６において、ステップＳ１では、制御部１１１が、ソフトウェアタイマーから時刻データを取得し、ＲＡＭ１２に書き込む。ステップＳ２では、演算部１１２が、制御部１１１の指示に従って、ＲＡＭ１２から時刻データを取得し、その時刻データが照度計測時刻であるかを判定する。なお、ここで、照度計測時刻は、例えば、２３：３０や２：００（深夜）などのように規定されており、予め入力装置２５からＥＥＰＲＯＭ１３ｂに入力されている。ステップＳ２の演算部１１２の判定の結果、時刻データが照度計測時刻であると判定された場合、処理はステップＳ３に移る。ステップＳ２の演算部１１２の判定の結果、時刻データが照度計測時刻でないと判定された場合、処理はステップＳ１に戻る。ステップＳ３では、演算部１１２が、制御部１１１の指示に従って、ＥＥＰＲＯＭ１３ｂから最新の照明装置４０のオン／オフデータを取得し、そのオン／オフデータがオンであるかを判定する。ステップＳ３の演算部１１２の判定の結果、オン／オフデータがオンであると判定された場合、処理はステップＳ５に移る。ステップＳ２の演算部１１２の判定の結果、オン／オフデータがオフであると判定された場合、処理はステップＳ４に移る。ステップＳ４では、Ｉ／Ｏ制御部１４が、制御部１１１の指示に従って、照明装置４０へオン制御信号を送信し、照明装置４０を点灯させる。ステップＳ５では、Ｉ／Ｏ制御部１４が、制御部１１１の指示に従って、照度センサ２１から照度データＬａを受信し、ＲＡＭ１２に書き込む。ステップＳ６では、演算部１１２が、制御部１１１の指示に従って、ＲＯＭ１３ａから蛍光灯経年劣化特性データを、ＥＥＰＲＯＭ１３ｂから総点灯時間データ（照明装置４０のオン／オフ−時刻データから導出される）を読み出し、総点灯時間データに対応する理想照度データＬｉを抽出する。ステップＳ７では、演算部１１２が、制御部１１１の指示に従って、ＥＥＰＲＯＭ１３ｂからオン／オフデータを読み出してオン回数をカウントする。ステップＳ８では、演算部１１２が、制御部１１１の指示に従って、オン回数に１ルックスを乗じて補正値を算出した後、理想照度データＬｉから補正値を差し引いて補正理想照度データＬｉｃとする。ステップＳ９では、演算部１１２が、制御部１１１の指示に従って、ＲＡＭ１２から照度データＬａを取得し、その照度データＬａと補正理想照度データＬｉｃとの差（以下、照度差という）（Ｌｉｃ−Ｌａ）を算出し、ＲＡＭ１２に書き込む。ステップＳ１０では、演算部１１２が、制御部１１１の指示に従って、ＲＡＭ１２から照度差（Ｌｉｃ−Ｌａ）を取得し、その照度差（Ｌｉｃ−Ｌａ）が清掃必要照度幅Ｌｃ以上であるかを判定する。ステップＳ１０の演算部１１２の判定の結果、照度差（Ｌｉｃ−Ｌａ）が清掃必要照度幅Ｌｃ以上であると判定された場合、処理はステップＳ１１に移る。ステップＳ１０の演算部１１２の判定の結果、照度差（Ｌｉｃ−Ｌａ）が清掃必要照度幅Ｌｃ未満であると判定された場合、処理はステップＳ１に戻る。ステップＳ１１では、ＲＡＭ１２が制御部１１１の指示に従ってＲＯＭ１３ａから清掃サインデータを読み出した後、Ｉ／Ｏ制御部１４が制御部１１１の指示に従ってＲＡＭ１２にある清掃サインデータをディスプレイ用インターフェイス１６を介してディスプレイ１７に送信する。すると、ディスプレイ１７上に清掃サインデータが表示される。なお、ステップＳ１１の処理が終了すると、処理はステップＳ１に戻る。
【００２６】
〔照明保守システムの特徴〕
（１）
本実施の形態に係る照明保守システム１では、照度センサ２１が、照明装置４０の照度を計測する。また、照明コントローラ１０では、照明装置４０の総点灯時間が導出される。そして、この照明コントローラ１０では、蛍光灯経年劣化特性データに基づいて総点灯時間における蛍光灯４２の理想照度データを導出する。さらに、この照明コントローラ１０では、照度センサ２１から照度データと理想照度データとの差を算出する。そして、その差が所定値に達した場合に照明コントローラ１０のディスプレイ１７に、清掃サインデータが表示される。このため、この照明保守システム１では、蛍光灯４２の汚れ具合がある程度進んだ適切な時点で、清掃サインデータが表示される。したがって、この照明保守システム１では、清掃作業費用をできるだけ低減することができる。
【００２７】
（２）
本実施の形態に係る照明保守システム１では、照明コントローラ１０において照明保守システム１の照度計測時刻が設定可能になっている。このため、この照明保守システム１では、ユーザは、外光の影響が少ない時間を選んで蛍光灯４２の汚れ検知を行うことができる。
【００２８】
（３）
本実施の形態に係る照明保守システム１では、照度コントローラ１０において、照明装置４０のオン回数がカウントされ、そのオン回数に１ルックスを乗じて補正値が算出された後、理想照度データＬｉから補正値が差し引かれて補正理想照度データＬｉｃが導出される。一般に、蛍光灯４２は、一回のオン／オフで１時間寿命が縮む、つまり照度が減衰すると言われている。このため、この照明保守システム１では、照明装置４０の清掃タイミングをより正確に導出することができる。
【００２９】
〔変形例〕
（Ａ）
先の実施の形態に係る照明保守システム１では、蛍光灯が監視対象となっていたが、監視対象はマルチハロゲン灯や水銀灯などであってもよい。
（Ｂ）
先の実施形態に係る照明保守システム１では、通常の蛍光灯４２が監視対象となっていたが、これに代えて、一定照度コントロールされる蛍光灯などを監視対象としてもかまわない。ただし、一定照度コントロールされる蛍光灯は汚れが付着していても照度が変化しないので、照明コントローラ１０は、照度センサ２１から得られる照度データではなく蛍光灯への供給電力や一定照度コントロールの制御値などの変化を利用して先と同様の動作を行うこととなる。なお、これに先立ち、蛍光灯などの点灯時間と蛍光灯の照度を一定に維持するために必要な理想の供給電力や制御値との関係を把握しておく必要がある。これは、当業者の通常の発意に基づいて実現可能である。この場合は、清掃の度に、蛍光灯の照度が回復し蛍光灯に供給される電力量が低減されるので、省エネルギーを実現することが可能となる。
【００３０】
（Ｃ）
先の実施形態に係る照明保守システム１では、清掃サインデータがディスプレイ１７に表示されることによりユーザに蛍光灯４２の清掃を促したが、これに代えて、蛍光灯４２を点滅制御することによりユーザに蛍光灯４２の清掃を促す等してもよい。
【産業上の利用可能性】
【００３１】
本発明に係る照明保守システムは、清掃作業費用をできるだけ低減することができるという特徴を有し、家庭用や商業施設用の照明機器の清掃タイミングを把握するのに有用である。
【図面の簡単な説明】
【００３２】
【図１】本発明の実施の形態に係る照明保守システムの簡易システム構成図。
【図２】本発明の実施の形態に係る照明装置の外観斜視図。
【図３】本発明の実施の形態に係る照明コントローラの構成図。
【図４】本発明の実施の形態に係る照明コントローラにおける制御信号およびデータの流れを表す図。
【図５】本発明の実施の形態に係る照明コントローラで採用される蛍光灯経年劣化特性データを表す図。
【図６】本発明の実施の形態に係る照明コントローラの動作の流れを表すフローチャート。
【符号の説明】
【００３３】
１      照明保守システム
１３ａ    ＲＯＭ（第１情報記憶手段）
１４      Ｉ／Ｏ制御部（第１報知手段）
２１      照度センサ（実照度計測手段）
２５      入力装置（照度計測時刻スケジュール手段）
４０      照明装置（照明機器）
１１２      演算部（第１点灯時間計測手段、理想照度導出手段、照度差算出手段、発停回数カウント手段、経年劣化特性情報補正手段）
【図１】
2006269270.tif 000003
【図２】
2006269270.tif 000004
【図３】
2006269270.tif 000005
【図４】
2006269270.tif 000006
【図５】
2006269270.tif 000007
【図６】
2006269270.tif 000008